(57)【要約】【課題】シワを形成することなく確実に貼付剤の貼付を行うための貼付剤貼付用補助具を提供すること。【解決手段】本発明の補助具（１０）は、摘み片（１５０ａ，１５０ｂ）を剥離シート（１３０）に有する貼付剤（１００）に適用されるものであり、貼付剤が載置され保持される貼付剤載置部（１４）を有するベース板（１２）と、ベース板の、互いに対向する１対の縁部からベース板の貼付剤載置部に向かってそれぞれ延び、先端部に摘み片を把持する把持部（１８）を有する１対の把持シート（１６）と、把持シートを外側に曲げた状態で一時的に保持する保持手段（２４）とを備える。【選択図】図１
2019146694.tif 000002
【特許請求の範囲】
【請求項１】
支持体と、前記支持体の一面に設けられた粘着剤層と、前記粘着剤層に剥離可能に付着され、２つの部分に分けることができる剥離シートと、を備える貼付剤の貼付を補助するための貼付剤貼付用補助具であって、
前記貼付剤が載置され保持される貼付剤載置部を有するベース板と、
前記ベース板の、互いに対向する１対の縁部から前記ベース板の前記貼付剤載置部に向かってそれぞれ延び、先端部に前記２つの部分の被摘み部分を把持する把持部を有する、外方に湾曲可能な１対の把持シートと、
前記把持シートを外側に曲げた状態で一時的に保持する保持手段と、
を備える貼付剤貼付用補助具。
【請求項２】
前記把持シートの前記把持部が、前記把持シートの先端部を折り曲げて形成された２つの折曲げ部からなり、前記２つの折曲げ部間で前記被摘み部分を挟んで把持することができるようになっている、請求項１に記載の貼付剤貼付用補助具。
【請求項３】
前記保持手段として、前記把持部を粘着力により一時的に保持することのできる粘着部が設けられている、請求項１又は２に記載の貼付剤貼付用補助具。
【請求項４】
前記保持手段として、前記把持部を磁力により一時的に保持することのできる磁石が設けられている、請求項１又は２に記載の貼付剤貼付用補助具。
【請求項５】
前記保持手段が、前記ベース板に取り付けられ、面ファスナにより分離可能な帯状体であり、該帯状体が、前記把持シートを前記ベース板側に押さえ付けて一時的に保持することが可能となっている、請求項１又は２に記載の貼付剤貼付用補助具。
【請求項６】
前記貼付剤が、支持体と、前記支持体の一面に設けられた粘着剤層と、前記粘着剤層に剥離可能に付着され、分断を容易化する弱化部を有する剥離シートと、前記剥離シートに接合されると共に、前記剥離シートの前記弱化部と重なるように配置される弱化部を有する摘み片形成シートであり、該弱化部の左右の部分がそれぞれ摘み片として機能するようになっている、前記摘み片形成シートと、を備えるものであって、前記摘み片が前記被摘み部分として機能する、請求項１〜５のいずれか一項に記載の貼付剤貼付用補助具。
【発明の詳細な説明】
【技術分野】
【０００１】
本発明は、パップ剤やテープ剤等の貼付剤を所望の部位に貼付する際に使用する貼付剤貼付用補助具に関する。
【背景技術】
【０００２】
従来から、肩こり、腰痛、筋肉痛、筋肉疲労、関節痛等の改善を目的とした多様な貼付剤が流通している。これらの貼付剤は、通常、支持体と、その支持体の一方の面に設けられた、薬効成分を含有する粘着剤層と、粘着剤層の表面に剥離可能に付着された剥離シートとから構成されている。そして、使用時には、剥離シートを粘着剤層から剥がして粘着剤層を露出させ、貼付部位に貼付するようになっている。
【０００３】
しかしながら、貼付剤は、一般に柔軟であり取り扱いにくく、貼付時や剥離シートの剥離時にシワになりやすいという問題がある。
【０００４】
そこで、従来においては、例えば下記特許文献１及び２に記載されているような貼付剤が開発されている。特許文献１に記載の貼付剤は、支持体と、薬効成分を含有する粘着剤層と、粘着剤層の表面に付着された剥離シートとから構成されており、剥離シートの中央部には弱化部が形成されている。支持体は伸縮性を有しているため、支持体と剥離シートを左右に引っ張るだけで簡単に剥離シートを２つの部分に分けることが可能となっている。剥離シートを２つの部分に分けた後、その分け目部分を指で摘まむための被摘み部分とすることで、剥離シートの剥離や貼付剤の貼付の容易化を図ることが可能となる。
【０００５】
また、本明細書に添付の図４及び図５は特許文献２に記載の貼付剤を示すものである。この貼付剤１００は、特許文献１に記載の貼付剤と同様に、伸縮性を有する支持体１１０と、粘着剤層１２０と、剥離シート１３０とから構成されており、剥離シート１３０の中央部には弱化部１４０が形成されている。また、この貼付剤１００の剥離シート１３０の中央部には、摘み片形成シート１５０が接合されている。摘み片形成シート１５０にも弱化部１４５が形成されており、この弱化部１４５が剥離シート１３０の弱化部１４０と重なるよう摘み片形成シート１５０は配置されている。このような構成においては、図５に示すように支持体１１０と剥離シート１３０を左右に引っ張ると、摘み片形成シート１５０も弱化部１４５にて２つの部分に分断される。分断後、摘み片形成シート１５０は２つの摘み片１５０ａ，１５０ｂ、すなわち被摘み部分として、剥離シート１３０の剥離や貼付剤１００の貼付の際に用いることができるようになっている。
【先行技術文献】
【特許文献】
【０００６】
【特許文献１】特許第３１９２３３３号公報
【特許文献２】特許第５４６０７２６号公報
【発明の概要】
【発明が解決しようとする課題】
【０００７】
特許文献１及び２に開示されている従来の貼付剤は、剥離シートを２つの部分に分けることができ、分け目部分を摘まんで容易に剥離シートを剥離することができる。また、特許文献２に記載の貼付剤の場合は、剥離シートとは別に摘み片が形成されるためこれを摘まんで操作することができる。いずれの貼付剤も、非常に使い勝手のよいものとなっているが、シワを作ることなく、より簡単に且つ確実に貼付を行いたいという要請が依然としてある。そこで、本発明の目的は、かかる要請に応えるべく、特許文献１及び２等の剥離シートを２つの部分に分けることのできる貼付剤に適した貼付剤貼付用補助具を提供することにある。
【課題を解決するための手段】
【０００８】
上記目的を達成するために、本発明は、支持体と、支持体の一面に設けられた粘着剤層と、粘着剤層に剥離可能に付着され、２つの部分に分けることができる剥離シートとを備える貼付剤の貼付を補助するための貼付剤貼付用補助具において、貼付剤が載置され保持される貼付剤載置部を有するベース板と、ベース板の、互いに対向する１対の縁部からベース板の貼付剤載置部に向かってそれぞれ延び、先端部に剥離シートの前記２つの部分の被摘み部分を把持する把持部を有する、外方に湾曲可能な１対の把持シートと、把持シートを外側に曲げた状態で一時的に保持する保持手段とを備えることを特徴としている。
【０００９】
把持シートの把持部は、把持シートの先端部を折り曲げて形成された２つの折曲げ部からなるものとすることができ、この場合、２つの折曲げ部間で剥離シートの前記２つの部分の被摘み部分を挟んで把持することができる。
【００１０】
保持手段としては、把持部を粘着力により一時的に保持することのできる粘着部を設けることが好ましい。
【００１１】
また、保持手段として、把持部を磁力により一時的に保持することのできる磁石を設けることも考えられる。例えば、把持シートの各々の縁部からベース板の貼付剤載置部に向かって延びる保持シートを設けておき、この保持シートの先端部に磁石及び／又は磁性体を配設すると共に、該磁石及び／又は磁性体に吸着され得るよう把持シートの把持部に磁石及び／又は磁性体を配設する形態が考えられる。
【００１２】
さらに、保持手段としては、ベース板に取り付けられ、面ファスナにより分離可能な帯状体とすることもでき、該帯状体は、把持シートをベース板側に押さえ付けて一時的に保持することができる。
【００１３】
なお、適用可能な貼付剤としては、上記特許文献２に記載の貼付剤もある。すなわち支持体と、支持体の一面に設けられた粘着剤層と、粘着剤層に剥離可能に付着され、分断を容易化する弱化部を有する剥離シートと、剥離シートに接合されると共に、剥離シートの弱化部と重なるように配置される弱化部を有する摘み片形成シートであり、該弱化部の左右の部分がそれぞれ摘み片として機能するようになっている、摘み片形成シートとを備える貼付剤にも本発明の貼付剤貼付用補助具は適用可能である。この場合、摘み片を被摘み部分として用いることができ、この摘み片を把持部にて把持することとなる。
【発明の効果】
【００１４】
本発明による貼付剤貼付用補助具は、貼付剤をベース板で支えた状態で、徐々に剥離シートを剥離しながら、貼付剤を貼付することができるため、身体の所望の部位に確実に且つシワを形成することなく貼付を行うことができる。
【００１５】
また、簡単な構造であり、紙やプラスチックから作ることができるため、安価であり、軽量で操作性もよい。
【図面の簡単な説明】
【００１６】
【図１】本発明の一実施形態に係る貼付剤貼付用補助具を示す斜視図である。
【図２】本発明の一実施形態に係る貼付剤貼付用補助具の平面図である。
【図３】図１及び図２の本発明による貼付剤貼付用補助具の使用方法を示す概略図である。なお、補助具の右半分は省略して示している。
【図４】本発明による貼付剤貼付用補助具に適用可能な貼付剤を示す斜視図である。
【図５】図４の貼付剤の使用方法を示す概略図である。
【図６】本発明の別の実施形態に係る貼付剤貼付用補助具を示す斜視図である。
【図７】本発明による貼付剤貼付用補助具に適用可能な様々な貼付剤を示す図である。
【発明を実施するための形態】
【００１７】
以下、図面を参照しながら、本発明による貼付剤貼付用補助具の好適な実施形態について詳細に説明する。尚、図中、同一又は相当部分には同一符号を付し、その詳細な説明は省略する。
【００１８】
図１〜図３は、本発明の一実施形態による貼付剤貼付用補助具１０を示している。この補助具１０は、特許文献１並びに本明細書に添付した図４及び図５に示された貼付剤のような、摘み片１５０ａ，１５０ｂを有するタイプの貼付剤１００に用いられるものである。
【００１９】
図１に示すように、貼付剤貼付用補助具１０は、貼付剤１００が載置され保持される貼付剤載置部を有する、好ましくは矩形形状であるベース板１２を備えている。貼付剤載置部は、図２において一点鎖線１４で囲まれる領域であり、貼付剤１００を載置するに十分な大きさとなっており、貼付剤１００と同様な矩形形状となっている。また、貼付剤載置部１４は、ベース板１２の互いに対向する１対の端縁（短辺に沿う縁）から等距離に且つ互いに対向する１対の側縁（長辺に沿う縁）から等距離に設けられている。
【００２０】
ベース板１２は、貼付剤１００を平坦状に保持する機能と、貼付剤１００を使用者の身体の所望部位に押し付けるための押圧板としての機能とを併せ持つため、ある程度の剛性が必要となる。その一方で、ベース板１２は、使用者の身体に押し付けた際にその部位の輪郭にフィットすることができるよう、ある程度の柔軟性ないしは弾性を有することも必要となる。このため、ベース板１２は、湾曲可能な厚紙やプラスチックシート等から作製されることが好ましい。
【００２１】
ベース板１２の左右の各端縁部からは、把持シート１６がベース板１２の貼付剤載置部１４に向かう方向（内方）に延びており、その先端部はベース板１２の中心線Ａまで達している。各把持シート１６は、その先端部に設けられた把持部１８で貼付剤１００における対応の摘み片１５０ａ，１５０ｂを把持し、ベース板１２の中心線Ａから摘み片１５０ａ，１５０ｂ及びそれと一体の剥離シート１３０を外方へと引っ張るためのものである。摘み片１５０ａ，１５０ｂを把持して引っ張る際、把持シート１６に戻り力が生じないよう（生じたとしても小さな戻り力のみが生じるよう）、把持シート１６はベース板１２よりも柔軟性があることが必要であり、薄手の紙やプラスチックシート等から作製されることが好適である。
【００２２】
なお、図１〜図３では、把持シート１６はベース板１２とは別個の部材として示しており、把持シート１６はベース板１２の端縁部に接着剤や熱融着により接合されることとしているが、同じ板状体の中で柔軟性等の特性を変化させることが可能であれば、１枚の板状体を折り曲げて、ベース板１２の端部に把持シート１６を連設する形態とすることもできる。
【００２３】
図示実施形態においては、各把持シート１６の把持部１８は、把持シート１６の先端部を外側に折り曲げて形成された第１の折曲げ部１８ａと、第１の折曲げ部１８ａの先端部を内側に折り曲げて形成された第２の折曲げ部１８ｂとから構成されており、第１の折曲げ部１８ａと第２の折曲げ部１８ｂとの間に摘み片１５０ａ，１５０ｂを挟んで把持することができるようになっている。
【００２４】
把持は第１及び第２の折曲げ部１８ａ，１８ｂを指で摘まむことで行うことになるが、その状態を維持するために或いは保持力を増すために、摘み片１５０ａ，１５０ｂと接しこれを粘着する粘着部１９を把持部１８に設けることも有効である。粘着部１９は、第２の折曲げ部１８ｂの、第１の折曲げ部１８ａに対向する面、及び／又は、第１の折曲げ部１８ａの、第２の折曲げ部１８ｂに対向する面に設けることが好ましく、前記面の適当な箇所に粘着剤を塗布したり或いは粘着テープを貼り付けたりすることで形成することができる。
【００２５】
なお、上述したように把持シート１６を折り曲げることで把持部１８を形成することも可能であるが、把持シート１６の先端部にクリップ状の別個の器具を配設することとしてもよい。
【００２６】
貼付剤貼付用補助具１０は、さらに、把持シート１６の把持部１８によって把持された摘み片１５０ａ，１５０ｂ及びそれと一体の剥離シート１３０を把持部１８と共に一時的に保持する保持手段を備えている。
【００２７】
図示実施形態においては、保持手段は、各把持シート１６の各端縁部に接合され、そこから該把持シート１６の先端部に向かって延びる保持シート２０と、保持シート２０の先端部を外側に折り曲げて形成された保持折曲げ部２２とを備えている。各保持折曲げ部２２は、貼付剤載置部１４の同側の端縁の近傍に位置している。この保持折曲げ部２２の表面には粘着部２４が設けられている。粘着部２４は、粘着剤を塗布したもの又は粘着テープを貼り付けたもの等が考えられ、この粘着部２４に把持シート１６の把持部１８を当接させることで、把持部１８を粘着力によって一時的に保持することが可能となる。
【００２８】
保持シート２０は、把持シート１６と同様に、摘み片１５０ａ，１５０ｂを把持して引っ張ることになるため、保持シート２０に戻り力が生じないよう（生じたとしても小さな戻り力のみが生じるよう）柔軟性があることが必要であり、把持シート１６と同種の薄手の紙やプラスチックシート等から作製されることが好適である。
【００２９】
なお、図示実施形態では、保持シート２０は把持シート１６に接合されていることとしているが、１枚のシート材を折り曲げて、把持シート１６の端縁に保持シート２０を連設する形態としてもよい。
【００３０】
次に、上述したような構成の貼付剤貼付用補助具１０の作用及び使用方法について説明する。
【００３１】
まず、図３の（ａ）に示すように、摘み片１５０ａ，１５０ｂが上に向くようにして貼付剤１００をベース板１２の貼付剤載置部１４に載置し、左右の把持シート１６で貼付剤１００を覆う。その結果、貼付剤１００はベース板１２と把持シート１６との間で挟持されることとなる。したがって、貼付剤載置部１４に貼付剤１００を仮止めするための粘着テープや粘着剤、或いは、ベース板１２を斜めにした際に滑り落ちるのを防止するための滑り止め等は、設けてもよいが、設けなくとも貼付剤１００は貼付剤載置部１４上で十分に保持される。
【００３２】
次いで、左右の把持シート１６の把持部１８、すなわち第１の折曲げ部１８ａと第２の折曲げ部１８ｂを持って、貼付剤１００の対応の摘み片１５０ａ，１５０ｂをそれらの折曲げ部１８ａ，１８ｂ間に挟み把持する。そして、この把持状態を維持したまま、把持部１８を摘み片１５０ａ，１５０ｂと共に左右に引っ張り、弱化部１４０，１４５から剥離シート１３０と摘み片形成シート１５０を分断する。この際、図３の（ｂ）に示すように指の力によって把持を行うこととなるが、粘着部１９を設けた場合には、その粘着力を補助として摘み片１５０ａ，１５０ｂの把持をより確実にすることができる。なお、第１と第２の折曲げ部１８ａ，１８ｂ間で摘み片１５０ａ，１５０ｂが滑らないように適当な滑り止め手段、例えば第１と第２の折曲げ部１８ａ，１８ｂの対向面にラバーや粘着剤、粘着テープを設ける、エンボス加工を施す、表面がざらざらしたいわゆるザラ紙を用いる等の手段を付与した場合には、把持をさらに確実にすることができる。
【００３３】
もちろん、図５に示すように、予め貼付剤１００の左右を外方に引っ張り、弱化部１４０，１４５から剥離シート１３０と摘み片形成シート１５０を分断した後、その貼付剤１００をベース板１２の貼付剤載置部１４に載置して左右の把持シート１６を貼付剤１００に被せてもよい（図３の（ａ））。このように予め剥離シート１３０と摘み片形成シート１５０を分断しておいた場合には、把持部１８で摘み片１５０ａ，１５０ｂを把持した後、分断のために強い力で把持部１８を引っ張る必要はない。
【００３４】
摘み片１５０ａ，１５０ｂを把持部１８で把持したならば、そのまま把持部１８を外方に移動させていく。その結果、把持シート１６は外方に湾曲しつつ、同時に剥離シート１３０が貼付剤１００の粘着剤層１２０から剥がれていく。この際も、貼付剤１００は、把持シート１６の一部によりベース板１２上で挟持されているため、貼付剤は動かず、シワが生じることもない。
【００３５】
把持部１８が対応の保持シート２０の保持折曲げ部２２に達したならば、把持部１８を保持折曲げ部２２に当接させる（図３の（ｃ））。これにより、保持折曲げ部２２上の粘着部２４が把持部１８の第１の折曲げ部１８ａと接し、粘着部２４の粘着力により把持部１８が一時的に保持され、貼付剤１００の剥離シート１３０の一部が開いた状態で維持されることとなる。この状態では、貼付剤１００の粘着剤層１２０の一部が、左右の把持シート１６の間で外部に露出することになる。また、把持シート１６の一部が貼付剤１００の端部を押さえた形となっているため、指を把持部１８から離し、貼付剤貼付用補助具１０を動かしても貼付剤１００が貼付剤載置部１４から移動することはない。
【００３６】
この後、使用者は、図３の（ｄ）に示すような態様で、身体２８の背中、腰等の所望の部位に貼付剤１００の粘着剤層１２０の露出部が当接するよう貼付剤貼付用補助具１０を移動させる。そして、第１及び第２の折曲げ部と一時保持折曲げ部とを指で摘まみ、これらをやや身体２８の方向（図３の（ｄ）の矢印）側に引きつつ左右に引っ張ると、第１及び第２の折曲げ部１８ａ，１８ｂ間に摘み片１５０ａ，１５０ｂが把持されているので、剥離シート１３０が剥がれながら、貼付剤１００が所望の部位に貼り付けられていく。この間、貼付剤１００はベース板１２上にてシワのない状態を維持しているので、貼付された後もシワなく綺麗なものとなる。もちろん、ベース板１２上で貼付剤１００の剥離シート１３０を全て剥離した後に、把持シート１６を操って身体の所望の部位に貼付剤１００を貼り付けることもできるが、徐々に粘着剤層１２０を露出させながら貼り付けていくという図示実施形態の貼付剤貼付用補助具１０の本来の使用方法によった方が、シワのない確実な貼付が可能となる。さらに、ベース板１２は身体に押し付けられることになるため、貼付剤１００の粘着剤層１２０はしっかりと身体に貼り付いたものとなる。
【００３７】
最後に貼付剤貼付用補助具１０を身体から離せば、貼付剤１００は使用者の皮膚にそのまま残ることになる。
【００３８】
以上、本発明の好適な実施形態について詳細に説明したが、本発明は上記実施形態に限定されないことは言うまでもない。
【００３９】
例えば、貼付剤貼付用補助具１０全体或いは各部分の形状等は図示実施形態に限定されない。
【００４０】
把持シート１６の把持部１８については、把持部１８での把持力を増すために、上述したように粘着部１９を設けることが好適であるが、この粘着部１９と共に、或いは、粘着部１９に代えて、磁石を用いることも考えられる。例えば、第１の折曲げ部１８ａと第２の折曲げ部１８ｂの対向面にそれぞれ磁石と、これに吸着する磁石ないしは磁性体を設けて、これをもって把持の補助力とすることも可能である。
【００４１】
上記実施形態では、把持シート１６を一時的に保持する保持手段は、保持シート２０の保持折曲げ部２２に形成された粘着部２４からなるものとしているが、粘着部は、保持折曲げ部２２ではなく、保持折曲げ部２２に接する把持部１８の面に設けてもよい。また、保持シート２０を設けずに、粘着部を把持シート１６の端縁部の近傍に設けることも考えられる。
【００４２】
保持手段としては、粘着部２４に代えて、磁石を用いることも考えられる。例えば、保持折曲げ部２２の表面又は内部には磁石を配置し、これに対応するように、把持シート１６の第２の折曲げ部１８ｂの表面若しくは内部、又は第１の折曲げ部１８ａの表面若しくは内部に磁石を設け、これらの磁石が互いに吸着するよう構成してもよい。なお、これらの磁石のうち一方が、磁石ではなく、単なる磁性体であっても、一時的な保持は可能である。さらに、保持シート２０を設けずに、磁石を把持シート１６の端縁部の近傍に配置し、その磁石に把持シート１６の把持部１８の磁石を吸着させるだけとしたものでもよい。
【００４３】
また、面ファスナの１対のファスナ部分をそれぞれ把持部１８と保持折曲げ部２２とに配置することで、把持部の一時的な保持を行う保持手段とすることもできる。この場合も、保持シート２０ではなく、面ファスナの一方のファスナ部分を把持シート１６の端縁部の近傍に配置し、そこに把持部１８の他方のファスナ部分を取外し可能に掛合させることが可能である。
【００４４】
さらに、図６に示すように、保持手段として、面ファスナ３０を先端部に設けた分離可能な帯状体３２をベース板１２に設け、この帯状体３２で把持シート１６を一時的に押さえるようなものとしてもよい。この場合も、保持シート２０は不要となる。
【００４５】
また、貼付剤１００についても、摘み片１５０ａ，１５０ｂを有していれば本発明による貼付剤貼付用補助具１０を適用することが可能であり、例えば図７に示すような様々な摘み片を有する貼付剤１００にも適用可能である。
【００４６】
さらに、摘み片１５０ａ，１５０ｂが形成されないタイプの貼付剤、例えば上記特許文献１に記載の貼付剤のような、摘み片形成シートを有しない剥離シートのみの貼付剤にも本発明の貼付剤貼付用補助具１０を適用することが可能である。この場合、支持体と剥離シートを左右に引っ張って、剥離シートを２つの部分に分けた後、２つの部分の分け目付近の部分を、指で摘まむための被摘み部分として用い、把持部１８でこの被摘み部分を把持することになる。
【００４７】
その他にも、特開２０００−２１９６２２号公報に記載されているような貼付剤にも本発明の貼付剤貼付用補助具１０を適用することができる。この貼付剤は、剥離シートが２つの部分に分けられており、一方の剥離シート部分が他方の剥離シート部分の縁部上を覆うという形態となっている。この覆い被さった部分が被摘み部分として把持部１８により把持され得る。また、覆い被された剥離シート部分の縁部は折り返され、これも把持部１８により把持され得る。したがって、上記の使用方法と実質的に同様な方法で、貼付剤を貼付することができる。なお、覆い被された剥離シート部分の縁部が折り返されていない貼付剤も存在するが、そのような貼付剤にも本発明の貼付剤貼付用補助具１０が適用可能であることはいうまでもない。
【符号の説明】
【００４８】
１０…貼付剤貼付用補助具、１２…ベース板、１４…貼付剤載置部、１６…把持シート、１８…把持部、１８ａ…第１の折曲げ部、１８ｂ…第２の折曲げ部、１９…粘着部、２０…保持シート、２２…保持折曲げ部、２４…粘着部、２８…身体、３０…面ファスナ、３２…帯状体、１００…貼付剤、１１０…支持体、１２０…粘着剤層、１３０…剥離シート、１４０，１４５…弱化部、１５０…摘み片形成シート、１５０ａ，１５０ｂ…摘み片。
【図１】
2019146694.tif 000003
【図２】
2019146694.tif 000004
【図３】
2019146694.tif 000005
【図４】
2019146694.tif 000006
【図５】
2019146694.tif 000007
【図６】
2019146694.tif 000008
【図７】
2019146694.tif 000009